(57)【特許請求の範囲】
【請求項１】
第一表面１、及び第二表面２を有する栽培床１００であって、
栽培床１００の一方の一対の側面３の各々に設けられた、少なくとも一つの凹部４、及び少なくとも一つの凸部５と、
栽培床１００の他方の一対の側面６の一方の側面７の周囲に設けられた、前記第一表面１から栽培床１００の厚さのうち所定の厚さ８まで突出した第一突出部分９と、他方の一対の側面６の他方の側面１０の周囲に設けられた、第二表面２から栽培床１００の厚さのうち前記所定の厚さ８を除いた厚さまで突出した第二突出部分１１と、
前記少なくとも一つの凹部４の少なくとも一つに設けられた、栽培床１００を貫通する切り欠き部１２と、
前記一方の一対の側面３の一方の側面１３の凹部４、及び凸部５の周囲に設けられた、前記第一表面１から栽培床１００の厚さのうち前記所定の厚さ８まで突出した第三突出部分１４と、
前記一方の一対の側面３の他方の側面１５の凹部４、及び凸部５の周囲に設けられた、前記第二表面２から栽培床１００の厚さのうち前記所定の厚さ８を除いた厚さまで突出した第四突出部分１６と、を有することを特徴とする、栽培床１００。
【請求項２】
前記切り欠き部１２が、前記凹部４の縁から栽培床１００の内部に延在する切り欠き部１２であることを特徴とする、請求項１に記載の栽培床１００。
【請求項３】
第一表面１、及び第二表面２を有する栽培床２００であって、
栽培床２００の一方の一対の側面３の一方の側面１３に設けられた、少なくとも一つの凹部４、及び少なくとも一つの凸部５と、
栽培床２００の他方の一対の側面６の一方の側面７の周囲に設けられた、前記第一表面１から栽培床２００の厚さのうち所定の厚さ８まで突出した第一突出部分９と、他方の一対の側面６の他方の側面１０の周囲に設けられた、前記第二表面２から栽培床２００の厚さのうち前記所定の厚さ８を除いた厚さまで突出した第二突出部分１１と、
前記少なくとも一つの凹部４の各々に設けられた、栽培床２００を貫通する切り欠き部１２と、
前記一方の一対の側面３の一方の側面１３の凹部４、及び凸部５の周囲に設けられた、前記第一表面１から栽培床２００の厚さのうち前記所定の厚さ８まで突出した第三突出部分１４と、を有することを特徴とする、栽培床２００。
【請求項４】
前記切り欠き部１２が、前記凹部４の縁から栽培床２００の内部に延在する切り欠き部１２であることを特徴とする、請求項３に記載の栽培床２００。
【請求項５】
請求項１又は２に記載の栽培床１００を組み合わせた複数の栽培床３００又は更に大きい複数の栽培床４００であって、
栽培床１００の前記凹部４と前記凸部５とが嵌合し、及び／又は
栽培床１００の前記第三突出部分１４と前記第四突出部分１６とが嵌合し、及び/又は
栽培床１００の前記第一突出部分９と前記第二突出部分１１とが嵌合することを特徴とする複数の栽培床３００又は更に大きい複数の栽培床４００。
【請求項６】
請求項３又は４に記載の栽培床２００を組み合わせた複数の栽培床３００であって、
栽培床２００の前記第一突出部分９と前記第二突出部分１１とが嵌合することを特徴とする複数の栽培床３００。
【請求項７】
請求項５に記載の複数の栽培床３００又は更に大きい複数の栽培床４００であって、複数の栽培床３００の末端部分又は更に大きい複数の栽培床４００の末端部に請求項３又は４に記載の栽培床２００を嵌合することを特徴とする、複数の栽培床３００又は更に大きい複数の栽培床４００。
【請求項８】
請求項５に記載の複数の栽培床３００の作製方法であって、
一の栽培床１００の一方の一対の側面３の一方の側面１３に設けられた、前記少なくとも一つの凹部４の前記少なくとも一つの切り欠き部１２に苗１７を挿入する段階と、
他の栽培床１００の一方の一対の側面３の他方の側面１５に設けられた、前記少なくとも一つの凹部４の前記少なくとも一つの切り欠き部１２に苗１７を挿入する段階と、
前記一の栽培床１００と前記他の栽培床１００を嵌合して苗１７を固定する段階と、
他の栽培床１００の一方の一対の側面３の一方の側面１３に設けられた、前記少なくとも一つの凹部４の前記少なくとも一つの切り欠き部１２に苗１７を挿入する段階と、
更に他の栽培床１００の一方の一対の側面３の他方の側面１５に設けられた、前記少なくとも一つの凹部４の前記少なくとも一つの切り欠き部１２に苗１７を挿入する段階と、
前記他の栽培床１００と前記更に他の栽培床１００とを嵌合して苗１７を固定する段階と、を有し、
前記段階を繰り返すことにより、任意の大きさの複数の栽培床３００を作製することを特徴とする、複数の栽培床３００の作製方法。
【請求項９】
請求項７に記載の複数の栽培床３００の作製方法であって、
請求項８に記載の方法で作成された複数の栽培床３００の末端部分の複数の栽培床１００の一方の一対の側面３の一方の側面１３に設けられた、前記少なくとも一つの凹部４の前記少なくとも一つの切り欠き部１２に苗１７を挿入する段階と、
請求項８に記載の方法で作成された複数の栽培床３００の末端部分の複数の栽培床１００の一方の一対の側面３の他方の側面１５に設けられた、前記少なくとも一つの凹部４の前記少なくとも一つの切り欠き部１２に苗１７を挿入する段階と、
２つの栽培床２００の各々の一方の一対の側面３の一方の側面１３に設けられた、前記少なくとも一つの凹部４の前記少なくとも一つの切り欠き部１２に苗１７を挿入する段階と、
前記末端部分の複数の栽培床１００と前記２つの栽培床２００とを嵌合して苗１７を固定する段階と、を有する、複数の栽培床３００を作成する方法。
【請求項１０】
請求項７に記載の複数の栽培床３００の作製方法であって、
２以上の、請求項８又は９に記載の作製方法により作製された複数の栽培床３００の前記第一突出部分９、及び前記第二突出部分１１を嵌合して、更に大きい複数の栽培床４００を作製する段階を有することを特徴とする、更に大きい複数の栽培床４００の作製方法。
【請求項１１】
請求項５に記載の複数の栽培床３００の作製方法であって、
一の栽培床１００の他方の一対の側面６の一方の側面７の前記第一突出部分９と、
他の栽培床１００の他方の一対の側面６の他方の側面１０の前記第二突出部分１１とを嵌合する段階と、
他の栽培床１００の他方の一対の側面６の一方の側面７の前記第一突出部分９と、更に他の栽培床１００の他方の一対の側面６の他方の側面１０の前記第二突出部分１１とを嵌合する段階とを有し、
前記段階を繰り返すことにより、任意の大きさの複数の栽培床３００を作製することを特徴とする、複数の栽培床３００の作製方法。
【請求項１２】
請求項６に記載の複数の栽培床３００の作製方法であって、
一の栽培床２００の他方の一対の側面６の一方の側面７の前記第一突出部分９と、
他の栽培床２００の他方の一対の側面６の他方の側面１０の前記第二突出部分１１とを嵌合する段階と、
他の栽培床２００の他方の一対の側面６の一方の側面７の前記第一突出部分９と、更に他の栽培床２００の他方の一対の側面６の他方の側面１０の前記第二突出部分１１とを嵌合する段階とを有し、
前記段階を繰り返すことにより、任意の大きさの複数の栽培床３００を作製することを特徴とする、複数の栽培床３００の作製方法。
【請求項１３】
請求項５に記載の更に大きい複数の栽培床４００の作製方法であって、
一の請求項１１に記載の方法で作製された複数の栽培床３００の一方の一対の側面３の一方の側面１３に設けられた前記凹部４の前記少なくとも一つの切り欠き部１２に苗１７を挿入する段階と、
他の請求項１１に記載の方法で作製された複数の栽培床３００の一方の一対の側面３の他方の側面１５に設けられた前記凹部４の前記少なくとも一つの切り欠き部１２に苗１７を挿入する段階と、前記各々の複数の栽培床３００を嵌合して、苗１７を固定する段階と、
前記他の請求項１１に記載の方法で作製された複数の栽培床３００の一方の一対の側面３の一方の側面１３に設けられた前記凹部４の前記少なくとも一つの切り欠き部１２に苗１７を挿入する段階と、
更に他の請求項１１に記載の方法で作製された複数の栽培床３００の一方の一対の側面３の他方の側面１５に設けられた前記凹部４の前記少なくとも一つの切り欠き部１２に苗１７を挿入する段階と、
前記各々の複数の栽培床３００を嵌合して、前記苗１７を固定する段階と、を有し、
前記段階を繰り返すことにより、更に大きい複数の栽培床４００を作製することを特徴とする、更に大きい複数の栽培床４００の作製方法。
【請求項１４】
請求項７に記載の更に大きい複数の栽培床４００の作製方法であって、
請求項１３に記載の方法で作成された更に大きい複数の栽培床４００の末端部分の複数の栽培床１００の一方の一対の側面３の一方の側面１３に設けられた、前記少なくとも一つの凹部４の前記少なくとも一つの切り欠き部１２に苗１７を挿入する段階と、
請求項１３に記載の方法で作成された更に大きい複数の栽培床４００の末端部分の複数の栽培床１００の一方の一対の側面３の他方の側面１５に設けられた、前記少なくとも一つの凹部４の前記少なくとも一つの切り欠き部１２に苗１７を挿入する段階と、
請求項１２に記載の方法で作成された２つの複数の栽培床３００の
複数の栽培床２００の一方の一対の側面３の一方の側面１３に設けられた、前記少なくとも一つの凹部４の前記少なくとも一つの切り欠き部１２に苗１７を挿入する段階と、
前記末端部分の複数の栽培床１００と前記複数の栽培床２００とを嵌合して苗１７を固定する段階と、を有することを特徴とする、更に大きい複数の栽培床４００を作成する方法。
【請求項１５】
請求項５、又は７に記載の複数の栽培床３００又は更に大きい複数の栽培床４００、又は請求項８〜請求項１４のいずれか一項に記載の作製方法で作製された複数の栽培床３００、又は更に大きい複数の栽培床４００を使用したことを特徴とする植物工場１０００。
【発明の詳細な説明】
【技術分野】
【０００１】
本発明は、栽培床に関し、特に植物工場で使用する栽培床に関する。
【背景技術】
【０００２】
近年、安全な食料の供給、及び食材の周年供給を目的とした環境保全型の生産システムとして植物工場が注目されている。植物工場では、一般に、養液栽培を利用し、自然光（太陽光）または人工光を光源として植物を生育させる。ここで、自然光（太陽光）を使用する場合には、植物工場は温室となる。また、温度、湿度、及び二酸化炭素の制御なども行われる。これらの技術により、植物の周年・計画生産が可能になる。
【０００３】
特許文献１には、移植苗を育成する栽培床が開示されている。図３には、一対の長い発泡スチロール製の分割ブロック１ａ、１ｂとから形成した栽培床１が開示されている。この栽培床１自体を多数並べて液面に浮遊させることが可能である。分割ブロック１ａ、１ｂ間に別の苗床から採取した苗を挟み込み、水槽３の液（水又は水に養分を含ませたもの）面上に浮遊させ、毛細管現象によって揚水させ、または根部よって直接に養液を吸収させて水耕栽培を行う。図４には、一方の分割ブロック１ｂの横幅を小さくし、作物が大きく成長した場合にも、一方の分割ブロック1ｂの外側面が他方のブロック１ａの外側面から突出しないように１ａ。１ｂを嵌合することにより、作物の成長による両ブロック１ａ、１ｂの相対摺動を行える栽培床１が開示されている。多数の栽培床１を相互に密着した状態に並べ、液面の全面を覆うことにより光を遮断することができ、溶液中に藻が大量発生することを抑制することができる。
【先行技術文献】
【特許文献】
【０００４】
【特許文献１】実公昭５０-１５３１３９号
【発明の概要】
【発明が解決しようとする課題】
【０００５】
前述した特許文献１の栽培床では、嵌合した分割ブロック１ａ、１ｂの間に隙間が存在するために、液面への光を完全に遮断することができず、依然として藻が大量発生するという問題が生じていた。更に、苗の根が分割ブロック１ａと分割ブロック1ｂとの間に挟まれるため、苗の根を痛める原因となっていた。
【０００６】
本発明の目的は、上述した従来の問題点を解決するとともに、植物工場の大きさに合わせて、栽培床を組み合わせて大きさを簡単に変えることが可能な複数の栽培床、及びその作製方法を提供すると共に、上述した複数の栽培床を使用した植物工場を提供することである。
【課題を解決するための手段】
【０００７】
上記目的を達成するために、本発明によれば以下のような特徴を有する栽培床、栽培床を組み合わせた複数の栽培床、複数の栽培床の作製方法、および本発明の複数の栽培床を使用した植物工場が提供される。
請求項１の発明では、第一表面、及び第二表面２を有する栽培床であって、栽培床の一方の一対の側面の各々に設けられた、少なくとも一つの凹部、及び少なくとも一つの凸部と、栽培床の他方の一対の側面の一方の側面の周囲に設けられた、上記第一表面から栽培床の厚さのうち所定の厚さまで突出した第一突出部分と、他方の一対の側面の他方の側面の周囲に設けられた、第二表面から栽培床の厚さのうち上記所定の厚さを除いた厚さまで突出した第二突出部分と、上記少なくとも一つの凹部の少なくとも一つに設けられた、栽培床を貫通する切り欠き部と、上記一方の一対の側面の一方の側面の凹部、及び凸部の周囲に設けられた、上記第一表面から栽培床の厚さのうち上記所定の厚さまで突出した第三突出部分と、上記一方の一対の側面の他方の側面の凹部、及び凸部の周囲に設けられた、上記第二表面から栽培床の厚さのうち上記所定の厚さを除いた厚さまで突出した第四突出部分と、を有することを特徴とする。
【０００８】
請求項２の発明では、請求項１の発明において、上記切り欠き部が、上記凹部の縁から栽培床の内部に延在する切り欠き部であることを特徴とする。
【０００９】
請求項３の発明では、第一表面、及び第二表面を有する栽培床であって、栽培床の一方の一対の側面の一方の側面に設けられた、少なくとも一つの凹部、及び少なくとも一つの凸部と、栽培床の他方の一対の側面の一方の側面の周囲に設けられた、上記第一表面から栽培床の厚さのうち所定の厚さまで突出した第一突出部分と、他方の一対の側面の他方の側面の周囲に設けられた、上記第二表面から栽培床の厚さのうち上記所定の厚さを除いた厚さまで突出した第二突出部分と、上記少なくとも一つの凹部の各々に設けられた、栽培床を貫通する切り欠き部と、上記一方の一対の側面の一方の側面の凹部、及び凸部の周囲に設けられた、上記第一表面から栽培床の厚さのうち上記所定の厚さまで突出した第三突出部分と、を有することを特徴とする。
【００１０】
請求項４の発明では、上記切り欠き部が、上記凹部の縁から栽培床の内部に延在する切り欠き部であることを特徴とする。
【００１１】
請求項５の発明では、請求項１又は２に記載の栽培床を組み合わせた複数の栽培床又は更に大きい複数の栽培床であって、栽培床の上記凹部と上記凸部とが嵌合し、及び／又は栽培床の上記第三突出部分と上記第四突出部分とが嵌合し、及び/又は栽培床の上記第一突出部分と上記第二突出部分とが嵌合することを特徴とする。
【００１２】
請求項６の発明では、請求項３又は４に記載の栽培床を組み合わせた複数の栽培床であって、栽培床の上記第一突出部分と上記第二突出部分とが嵌合することを特徴とする。
【００１３】
請求項７の発明では、請求項５に記載の複数の栽培床又は更に大きい複数の栽培床であって、複数の栽培床の末端部分又は更に大きい複数の栽培床の末端部に請求項３又は４に記載の栽培床を嵌合することを特徴とする。
【００１４】
請求項８の発明では、請求項５に記載の複数の栽培床の作製方法であって、一の栽培床の一方の一対の側面の一方の側面に設けられた、上記少なくとも一つの凹部の上記少なくとも一つの切り欠き部に苗を挿入する段階と、他の栽培床の一方の一対の側面の他方の側面に設けられた、上記少なくとも一つの凹部の上記少なくとも一つの切り欠き部に苗を挿入する段階と、上記一の栽培床と上記他の栽培床を嵌合して苗を固定する段階と、他の栽培床の一方の一対の側面の一方の側面に設けられた、上記少なくとも一つの凹部の上記少なくとも一つの切り欠き部に苗を挿入する段階と、更に他の栽培床の一方の一対の側面の他方の側面に設けられた、上記少なくとも一つの凹部の上記少なくとも一つの切り欠き部に苗を挿入する段階と、上記他の栽培床と上記更に他の栽培床とを嵌合して苗を固定する段階と、を有し、上記段階を繰り返すことにより、任意の大きさの複数の栽培床を作製することを特徴とすることを特徴とする。
【００１５】
請求項９の発明では、請求項７に記載の複数の栽培床の作製方法であって、請求項８に記載の方法で作成された複数の栽培床の末端部分の複数の栽培床の一方の一対の側面の一方の側面に設けられた、上記少なくとも一つの凹部の上記少なくとも一つの切り欠き部に苗１７を挿入する段階と、請求項８に記載の方法で作成された複数の栽培床の末端部分の複数の栽培床の一方の一対の側面の他方の側面に設けられた、上記少なくとも一つの凹部の上記少なくとも一つの切り欠き部に苗を挿入する段階と、２つの栽培床の各々の一方の一対の側面３の一方の側面に設けられた、上記少なくとも一つの凹部の上記少なくとも一つの切り欠き部に苗を挿入する段階と、上記末端部分の複数の栽培床と上記２つの栽培床とを嵌合して苗を固定する段階と、を有する、複数の栽培床を作成する方法であることを特徴とする。
【００１６】
請求項１０の発明では、２以上の、請求項８又は９に記載の作製方法により作製された複数の栽培床の上記第一突出部分、及び上記第二突出部分を嵌合して、更に大きい複数の栽培床を作製する段階を有することを特徴とする。
【００１７】
請求項１１の発明では、請求項５の発明において、一の栽培床の他方の一対の側面の一方の側面の上記第一突出部分と、他の栽培床の他方の一対の側面の他方の側面の上記第二突出部分とを嵌合する段階と、他の栽培床の他方の一対の側面の一方の側面の上記第一突出部分と、更に他の栽培床の他方の一対の側面の他方の側面の上記第二突出部分とを嵌合する段階とを有し、上記段階を繰り返すことにより、任意の大きさの複数の栽培床を作製することを特徴とする。
【００１８】
請求項１２の発明では、請求項６の発明において、一の栽培床の他方の一対の側面の一方の側面７の上記第一突出部分と、他の栽培床の他方の一対の側面の他方の側面の上記第二突出部分とを嵌合する段階と、他の栽培床の他方の一対の側面の一方の側面の上記第一突出部分と、更に他の栽培床の他方の一対の側面の他方の側面の上記第二突出部分とを嵌合する段階とを有し、上記段階を繰り返すことにより、任意の大きさの複数の栽培床を作製することを特徴とする。
【００１９】
請求項１３の発明では、請求項５の発明において、一の請求項１１に記載の方法で作製された複数の栽培床の一方の一対の側面の一方の側面に設けられた上記凹部４の上記少なくとも一つの切り欠き部に苗を挿入する段階と、他の請求項１１に記載の方法で作製された複数の栽培床の一方の一対の側面の他方の側面に設けられた上記凹部の上記少なくとも一つの切り欠き部に苗を挿入する段階と、上記各々の複数の栽培床を嵌合して、苗を固定する段階と、上記他の請求項１１に記載の方法で作製された複数の栽培床の一方の一対の側面の一方の側面に設けられた上記凹部の上記少なくとも一つの切り欠き部に苗を挿入する段階と、更に他の請求項１１に記載の方法で作製された複数の栽培床の一方の一対の側面の他方の側面に設けられた上記凹部の上記少なくとも一つの切り欠き部に苗を挿入する段階と、上記各々の複数の栽培床を嵌合して、上記苗を固定する段階と、を有し、上記段階を繰り返すことにより、更に大きい複数の栽培床を作製することを特徴とする。
【００２０】
請求項１４の発明では、請求項７の発明において、請求項１３に記載の方法で作成された更に大きい複数の栽培床の末端部分の複数の栽培床の一方の一対の側面の一方の側面に設けられた、上記少なくとも一つの凹部の上記少なくとも一つの切り欠き部に苗を挿入する段階と、請求項１３に記載の方法で作成された更に大きい複数の栽培床の末端部分の複数の栽培床の一方の一対の側面３の他方の側面に設けられた、上記少なくとも一つの凹部の上記少なくとも一つの切り欠き部に苗を挿入する段階と、請求項１２に記載の方法で作成された２つの複数の栽培床の複数の栽培床の一方の一対の側面の一方の側面に設けられた、上記少なくとも一つの凹部の上記少なくとも一つの切り欠き部に苗を挿入する段階と、上記末端部分の複数の栽培床と上記複数の栽培床とを嵌合して苗を固定する段階と、を有する、ことを特徴とする。
【００２１】
請求項１５の発明では、植物工場であって、請求項５、又は７に記載の複数の栽培床又は更に大きい複数の栽培床、又は請求項８〜請求項１４のいずれか一項に記載の作製方法で作製された複数の栽培床、又は更に大きい複数の栽培床を使用したことを特徴とする。
【発明の効果】
【００２２】
請求項１に記載の発明によれば、栽培床を設置する場所まで運ぶのに適した大きさの栽培床を提供できる。更に、苗の根は、切り欠き部に栽培床の側面から挿入することができるため、苗の根を栽培床に挿入し易いと共に、根を痛めにくい。
【００２３】
請求項２に記載の発明によれば、切り欠き部は栽培床の内部に延在するため、確実に苗を保持することができる。
【００２４】
請求項３に記載の発明によれば、栽培床を設置する場所の末端部分に、側面の一方側には凹部、及び凸部が存在しない栽培床使用することにより、凹部、凸部から照射光（太陽光、人口光）が栽培床の下部に存在する栽培用肥料溶液に届くことがなくなり、栽培床用肥料溶液中に藻が繁殖し難くすることができる。
【００２５】
請求項４に記載の発明によれば、切り欠き部は栽培床の内部に延在するため、末端部分の栽培床でも確実に苗を保持することができる。
【００２６】
請求項５に記載の発明によれば、栽培床を組み合わせて、任意の大きさ、及び形状の複数の栽培床、又は更に大きい複数の栽培床を作製することができる。更に、第一突出部と第二突出部とが嵌合し、及び／又は第三突出部と第四突出部とが嵌合するため、照射光（太陽光、人口光）が栽培床の下部に存在する栽培用肥料溶液に届き難くなり、栽培床用肥料溶液中に藻が繁殖し難くすることができる。
【００２７】
請求項６に記載の発明よれば、末端部分に使用する複数の栽培床を請求項３又は４に記載の栽培床を用いて作成したので、末端部分の栽培床用肥料溶液中の藻の繁殖を抑制することができる。
【００２８】
請求項７に記載の発明によれば、複数の栽培床の末端部分に請求項３、又は４に記載の栽培床を使用することにより、更に照射光（太陽光、人口光）が複数の栽培床の下部に存在する栽培用肥料溶液に届き難くなり、栽培床用肥料溶液中の藻の繁殖を更に抑制することができる。
【００２９】
請求項８に記載の発明によれば、複数の栽培床を作製する人が、場所を移動せずに、苗１７を挿入しながら、任意の大きさの複数の栽培床を作製することができる。すなわち、身体的ハンデを有する人（例えば、足の不自由な人）でも容易に作業をすることが可能である。
【００３０】
請求項９に記載の発明によれば、複数の栽培床の先端と後端に請求項３又は４に記載の栽培床を嵌合することにより、複数の栽培床を作製する人が、場所を移動せずに、栽培床用肥料溶液中の藻の繁殖を抑制することが可能な複数の栽培床を作製することができる。
【００３１】
請求項１０に記載の発明によれば、栽培床用肥料溶液中の藻の繁殖を抑制することが可能な更に大きい複数の栽培床を作製することができる。
【００３２】
請求項１１に記載の発明によれば、苗を挿入せずに、栽培床用肥料溶液中の藻の繁殖を抑制することが可能な任意の大きさの複数の栽培床を作製することができる。
【００３３】
請求項１２に記載の発明によれば、末端部分に使用する複数の栽培床を、請求項３又は４に記載の栽培床を用いて作製したので、末端部分の栽培床用肥料溶液中の藻の繁殖を抑制することができる。
【００３４】
請求項１３に記載の発明によれば、複数の栽培床に苗を挿入しながら、栽培床用肥料溶液中の藻の繁殖を抑制することが可能な更に大きい複数の栽培床を作製することができる。
【００３５】
請求項１４に記載の発明によれば、末端部分に請求項３又は４に記載の栽培床を嵌合しているので、栽培床用肥料溶液中の藻の繁殖を更に抑制することが可能な更に大きい複数の栽培床を作製することができる。
【００３６】
請求項１５に記載の発明によれば、人の移動を最小限にして作製することが可能であり、栽培床用肥料溶液中の藻の繁殖を抑制することが可能な複数の栽培床、又は更に大きい複数の栽培床を用いた植物工場を提供できる。すなわち、身体的ハンデを有する人（例えば、足の不自由な人）でも容易に作業をすることが可能な植物工場を提供できる。
【図面の簡単な説明】
【００３７】
【図１】本願発明の栽培床１００の平面図である。
【図２】本願発明の栽培床１００の図１のＡ方向から見た側面図である。
【図３】本願発明の末端部分に使用される栽培床２００の平面図である。
【図４】本願発明の複数の栽培床３００の第１実施例の平面図である
【図５】本願発明の複数の栽培床３００の第２実施例の平面図である
【図６】本願発明の複数の栽培床３００の第３実施例の平面図である。
【図７】本願発明の複数の栽培床３００の第４実施例の平面図である。
【図８】本願発明の更に大きい複数の栽培床４００の平面図である。
【図９】本願発明の複数の栽培床３００の第５実施例の平面図である。
【図１０】本願発明の複数の栽培床３００の第６実施例の平面図である。
【図１１】本願発明の複数の栽培床３００の第７実施例の平面図である。
【図１２】本願発明の複数の栽培床３００、又は更に大きい複数の栽培床４００を使用した植物工場１０００の斜視図である。
【発明を実施するための形態】
【００３８】
以下、添付図面を参照して、本発明の実施の形態を詳細に説明する。全図面に渡り、対応する構成要素には共通の参照符号を付す。
【００３９】
図１、及び図２を参照して、本願発明の栽培床１００は、第一表面１、及び第二表面２を有する。栽培床１００は、栽培床１００の一方の一対の側面３の各々に設けられた、少なくとも一つの凹部４、及び少なくとも一つの凸部５と、栽培床１００の他方の一対の側面６の一方の側面７の周囲に設けられた、上記第一表面１から栽培床１００の厚さのうち所定の厚さ８まで突出した第一突出部分９と、他方の一対の側面６の他方の側面１０の周囲に設けられた、第二表面２から栽培床１００の厚さのうち上記所定の厚さ８を除いた厚さまで突出した第二突出部分１１と、上記少なくとも一つの凹部４の少なくとも一つに設けられた、栽培床１００を貫通する切り欠き部１２とを有する。栽培床１００は、更に、上記一方の一対の側面３の一方の側面１３の凹部４、及び凸部５の周囲に設けられた、上記第一表面１から栽培床１００の厚さのうち上記所定の厚さ８まで突出した第三突出部分１４と、上記一方の一対の側面３の他方の側面１５の凹部４、及び凸部５の周囲に設けられた、上記第二表面２から栽培床１００の厚さのうち上記所定の厚さ８を除いた厚さまで突出した第四突出部分１６と、を有する。
【００４０】
これにより、栽培床１００を設置する場所まで運ぶのに適した大きさの栽培床１００を提供できる。更に、苗１７の根は、切り欠き部１２に栽培床１００の側面７、１５から挿入することができるため、苗１７の根を栽培床１００に挿入し易いと共に、根を痛めにくい。
【００４１】
上記切り欠き部１２が、上記凹部４の縁から栽培床１００の内部に延在する切り欠き部１２であってもよい。
【００４２】
これにより、切り欠き部１２は栽培床１００の内部に延在するため、確実に苗を保持することができる。なお、切り欠き部１２は、苗の根を挿入するのに適した形であれば、どのような形状でも良い。更に、栽培床１００の材質は水又は、栽培用肥料溶液に浮いて、食物を栽培可能な材質であればどんなものでも用いることができる。典型的には発泡スチロールを用いることができる。
【００４３】
図３には、末端部分に使用される栽培床２００が示されている。栽培床２００は、第一表面１、及び第二表面２を有する。栽培床２００は、栽培床２００の一方の一対の側面３の一方の側面１３に設けられた、少なくとも一つの凹部４、及び少なくとも一つの凸部５と、栽培床２００の他方の一対の側面６の一方の側面７の周囲に設けられた、上記第一表面１から栽培床２００の厚さのうち所定の厚さ８まで突出した第一突出部分９と、他方の一対の側面６の他方の側面１０の周囲に設けられた、上記第二表面２から栽培床２００の厚さのうち上記所定の厚さ８を除いた厚さまで突出した第二突出部分１１と、上記少なくとも一つの凹部４の各々に設けられた、栽培床２００を貫通する切り欠き部１２とを有する。栽培床２００は更に、上記一方の一対の側面３の一方の側面１３の凹部４、及び凸部５の周囲に設けられた、上記第一表面１から栽培床２００の厚さのうち上記所定の厚さ８まで突出した第三突出部分１４と、を有する。
【００４４】
これにより、栽培床２００を設置する場所まで運ぶのに適した大きさの栽培床２００を提供できる。更に、苗１７の根は、切り欠き部１２に栽培床２００の側面７、１５から挿入することができるため、苗１７の根を栽培床２００に挿入し易いと共に、根を痛めにくい。また、栽培床を設置する場所の末端部分に、側面３の一方側には凹部４、及び凸部５が存在しない栽培床２００使用することにより、凹部４、凸部５から照射光（太陽光、人口光）が栽培床の下部に存在する栽培用肥料溶液に届くことがなくなり、栽培床用肥料溶液中に藻が繁殖し難くすることができる。
【００４５】
また、上記切り欠き部１２が、栽培床１００と同様に、上記凹部４の縁から栽培床２００の内部に延在する切り欠き部１２であってもよい。
【００４６】
これにより、切り欠き部１２は栽培床２００の内部に延在するため、末端部分の栽培床２００でも確実に苗を保持することができる。なお、切り欠き部１２は、栽培床１００と同様に、苗の根を挿入するのに適した形であれば、どのような形状でも良い。更に、栽培床１００の材質は水又は、栽培用肥料溶液に浮いて、食物を栽培可能な材質であればどんなものでも用いることができる。典型的には発泡スチロールを用いることができる。
【００４７】
図４を参照して、第１実施例の複数の栽培床３００は、栽培床１００を組み合わせて作製される。すなわち、栽培床１００の凹部４と別の栽培床１００の凸部５とが嵌合し、栽培床１００の上記第三突出部１４と別の栽培床の上記第四突出部１６とが嵌合して、栽培床１００と別の栽培床１００とが嵌合する。更に、栽培床１００の第一突出部９と更に別の栽培床１００の第二突出部１１とが嵌合し、栽培床１００と更に別の栽培床１００とが嵌合する。このように複数の栽培床１００を次々と嵌合することにより、複数の栽培床３００を作製する。
【００４８】
これにより、栽培床１００を組み合わせて、任意の大きさ、及び形状の複数の栽培床３００を作製することができる。更に、第一突出部９と第二突出部１１とが嵌合し、第三突出部１４と第四突出部１６とが嵌合するため、照射光（太陽光、人口光）が栽培床１００の下部に存在する栽培用肥料溶液に届き難くなり、栽培床用肥料溶液中に藻が繁殖し難くすることができる。
【００４９】
図５を参照して、第２実施例の複数の栽培床３００の末端部分には、栽培床２００が嵌合している。
【００５０】
これにより、更に照射光（太陽光、人口光）が複数の栽培床３００の下部に存在する栽培用肥料溶液に届き難くなり、栽培床用肥料溶液中の藻の繁殖を更に抑制することができる。
【００５１】
次に複数の栽培床３００の作製方法について説明する。まず、第３実施例の複数の栽培床３００の作製方法について説明する。図６を参照して、一の栽培床１００の一方の一対の側面３の一方の側面１３に設けられた、上記少なくとも一つの凹部４の上記少なくとも一つの切り欠き部１２に苗１７を挿入する段階と、他の栽培床１００の一方の一対の側面３の他方の側面１５に設けられた、上記少なくとも一つの凹部４の上記少なくとも一つの切り欠き部１２に苗１７を挿入する段階と、上記一の栽培床１００と上記他の栽培床１００を嵌合して苗１７を固定する段階とを有する。更に、他の栽培床１００の一方の一対の側面３の一方の側面１３に設けられた、上記少なくとも一つの凹部４の上記少なくとも一つの切り欠き部１２に苗１７を挿入する段階と、更に他の栽培床１００の一方の一対の側面３の他方の側面１５に設けられた、上記少なくとも一つの凹部４の上記少なくとも一つの切り欠き部１２に苗１７を挿入する段階と、上記他の栽培床１００と上記更に他の栽培床１００とを嵌合して苗１７を固定する段階とを有する。上記の段階を繰り返すことにより、任意の大きさの複数の栽培床３００を作製することができる。
【００５２】
これにより、複数の栽培床３００を作製する人が、場所を移動せずに、苗１７を挿入しながら、任意の大きさの複数の栽培床３００を作製することができる。すなわち、身体的ハンデを有する人（例えば、足の不自由な人）でも容易に作業をすることが可能である。
【００５３】
図７を参照して、上記作製方法のうち、一の栽培床１００は、栽培床２００であり、最後に嵌合する栽培床１００も栽培床２００とすることができる。これにより第４実施例の複数の栽培床３００を作製できる。
【００５４】
これにより、複数の栽培床３００の先端と後端に栽培床２００を嵌合することにより、複数の栽培床３００を作製する人が、場所を移動せずに、栽培床用肥料溶液中の藻の繁殖を抑制することができる。
【００５５】
図８を参照して、上記第４実施例の図７に示された、２以上の複数の栽培床３００の上記第一突出部９と、上記第二突出部１１とを嵌合することにより、更に大きい複数の栽培床４００を作製することができる。
【００５６】
これにより、栽培床用肥料溶液中の藻の繁殖を抑制することができる更に大きい複数の栽培床４００を作製することができる。
【００５７】
次に、第５実施例の複数の栽培床３００の作製方法について説明する。図９を参照して、一の栽培床１００の他方の一対の側面６の一方の側面７の上記第一突出部分９と、他の栽培床１００の他方の一対の側面６の他方の側面１０の上記第二突出部分１１とを嵌合する段階と、他の栽培床１００の他方の一対の側面６の一方の側面７の上記第一突出部分９と、更に他の栽培床１００の他方の一対の側面６の他方の側面１０の上記第二突出部分１１とを嵌合する段階とを有している。そして、上記段階を繰り返すことにより、任意の大きさの複数の栽培床３００を作製することができる。
【００５８】
これにより、苗１７を挿入せずに、栽培床用肥料溶液中の藻の繁殖を抑制することが可能な任意の大きさの複数の栽培床３００を作製することができる。
【００５９】
図１０を参照して、第５実施例の複数の栽培床３００の作製方法であって、一の栽培床１００、上記他の栽培床１００、及び上記その他の栽培床１００は、栽培床２００とすることができる。これにより、第６実施例の複数の栽培床３００を作製できる。
【００６０】
これにより、末端部分に使用する複数の栽培床３００を、栽培床２００を用いて作製したので、末端部分の栽培床用肥料溶液中の藻の繁殖を抑制することができる。
【００６１】
図１１を参照して、上記第５実施例の図９の一の複数の栽培床３００の一方の一対の側面３の一方の側面１３に設けられた上記凹部４の上記少なくとも一つの切り欠き部１２に苗１７を挿入する段階と、上記第５実施例の図９の他の複数の栽培床３００の一方の一対の側面３の他方の側面１５に設けられた上記凹部４の上記少なくとも一つの切り欠き部１２に苗１７を挿入する段階と、上記各々の複数の栽培床３００を嵌合して、苗１７を固定する段階とを有する。更に、上記第５実施例の図９の他の複数の栽培床３００の一方の一対の側面３の一方の側面１３に設けられた上記凹部４の上記少なくとも一つの切り欠き部１２に苗１７を挿入する段階と、上記第５実施例の図９の更に他の複数の栽培床３００の一方の一対の側面３の他方の側面１５に設けられた上記凹部４の上記少なくとも一つの切り欠き部１２に苗１７を挿入する段階と、上記各々の複数の栽培床３００を嵌合して、上記苗１７を固定する段階と、を有する。そして上記段階を繰り返すことにより、更に大きい複数の栽培床４００を作製することができる。
【００６２】
これによれば、複数の栽培床３００に苗１７を挿入しながら、栽培床用肥料溶液中の藻の繁殖を抑制することができる更に大きい複数の栽培床４００を作製することができる。
【００６３】
図８を参照して、上記の更に大きい複数の栽培床４００の一の複数の栽培床３００は、図１０に示された複数の栽培床３００であり、最後に嵌合する複数の栽培床３００も図１０に示された複数の栽培床３００とすることができる。
【００６４】
これにより、複数の栽培床３００の末端部分に栽培床２００を嵌合しているので、栽培床用肥料溶液中の藻の繁殖を更に抑制することができる更に大きい複数の栽培床４００を作製することができる。
【００６５】
なお、上述した複数の栽培床３００、及び、更に大きい複数の栽培床４００の作製方法では、図６、及び図７のような１列の複数の栽培床３００を作製してから、複数列の栽培床３００を組み合わせて、更に大きい複数の栽培床４００を作製したり、図９、及び図１０のような１行の複数の栽培床３００を作製してから、複数行の栽培床３００を組み合わせて、更に大きい複数の栽培床４００を作製したりしたが、これは一例であり、人の移動を最小限にできる作製方法であればどのような方法でもよい。例えば、栽培床の行と列とを交互に増やして、複数行、又は複数列の複数の栽培床３００を作製したり、更に大きい複数の栽培床４００を作製したりすることもできる。
【００６６】
図１２を参照して、上記の作製方法で作製された複数の栽培床３００、又は更に大きい複数の栽培床４００を使用した植物工場を提供することができる。図１２は一般的な植物工場１０００を示す。植物工場１０００は、栽培室１８、多段式栽培ベッド１９、光源（ＬＥＤ、蛍光ランプ、又は冷陰極ランプ）２０、制御盤２１、空調器２２、エアシャワーボックス２３、パスボックス２４等を有している。多段式栽培ベッド１９に複数の栽培床３００、又は更に大きい複数の栽培床４００を配置する。
【００６７】
これにより、人の移動を最小限にして作製することが可能で、栽培床用肥料溶液中の藻の繁殖を抑制することが可能な、複数の栽培床３００、又は更に大きい複数の栽培床４００を用いた植物工場１０００を提供できる。すなわち、身体的ハンデを有する人（例えば、足の不自由な人）でも容易に作業をすることが可能な植物工場１０００を提供できる。
【符号の説明】
【００６８】
１  第一表面
２  第二表面
３  一方の一対の側面
４  少なくとも一つの凹部
５  少なくとも一つの凸部
６  他方の一対の側面
７  他方の一対の側面の一方の側面
８  所定の厚さ
９  第一突出部
１０  他方の一対の側面の他方の側面
１１  第二突出部
１２  切り欠き部
１３  一方の一対の側面の一方の側面
１４  第三突出部
１５  一方の一対の側面の他方の側面
１６  第四突出部
１７  苗
１８  栽培室
１９  多段式栽培ベッド
２０  光源（ＬＥＤ、蛍光ランプ、又は冷陰極ランプ）
２１  制御盤
２２  空調器
２３  エアシャワーボックス
２４  パスボックス
１００  栽培床
２００  栽培床
３００  複数の栽培床
４００  更に大きい複数の栽培床
１０００  植物工場
【図１】
0005937414.tif 000002
【図２】
0005937414.tif 000003
【図３】
0005937414.tif 000004
【図４】
0005937414.tif 000005
【図５】
0005937414.tif 000006
【図６】
0005937414.tif 000007
【図７】
0005937414.tif 000008
【図８】
0005937414.tif 000009
【図９】
0005937414.tif 000010
【図１０】
0005937414.tif 000011
【図１１】
0005937414.tif 000012
【図１２】
0005937414.tif 000013